(57)【特許請求の範囲】
【請求項１】
被洗浄物を収納する洗浄槽と、被洗浄物を洗う洗浄手段と、洗浄水を加熱する加熱手段と、前記洗浄槽内部の湿気を排出する排気口と、外気を送風する送風機と、前記排気口の上流側に配置した外気と洗浄槽内気とを混合する混合部と、外気を前記混合部に導入する外気通路と、前記洗浄槽を経て前記混合部に連通する洗浄槽内気通路と、外気と洗浄槽内気との混合割合を変化させる風量分配手段とを備え、前記風量分配手段は、風圧で開度が変化するダンパーを前記洗浄槽内気通路と前記外気通路に設け、前記ダンパーは、前記洗浄槽内気通路に設けた洗浄槽ダンパーと前記外気通路に設けた外気ダンパーとを連結し、前記洗浄槽ダンパーの開度が増大すると前記外気ダンパーの開度が低減するように構成するとともに、前記洗浄槽ダンパーの受圧面積を前記外気ダンパーの受圧面積よりも大きくすることにより前記洗浄槽内気通路を閉止する方向への戻り力を作用させるように構成し、前記送風機からの風量を増加させるにともない、前記洗浄槽ダンパーの開度を増大させ、かつ前記外気ダンパーの開度を低減させることで、外気と洗浄槽内気との風量割合を変化させるようにした食器洗い乾燥機。
【発明の詳細な説明】
【技術分野】
【０００１】
本発明は、キッチン等に設置され被洗浄物の収納及び自動洗浄、乾燥を行う食器洗い乾燥機に関するものである。
【背景技術】
【０００２】
従来、この種の食器洗い乾燥機は、洗浄終了後に被洗浄物を乾燥させるため外気を洗浄槽内に送風して洗浄槽内の高温度で多湿な空気を排出する構成としている（例えば、特許文献１参照）。
【０００３】
図９は、特許文献１に記載された従来の食器洗い乾燥機を示すものである。図９に示すように、被洗浄物を収納する洗浄槽１と、洗浄水を噴射する洗浄ノズル２と洗浄水を加圧する洗浄ポンプ３を有する洗浄手段４と、洗浄水を加熱する加熱手段５と、洗浄槽１に外気を送風する送風機６と、洗浄槽１内部の空気を排気する排気口７と、排気口７に設けた外気を混合させる排気補助手段８から構成されている。
【特許文献１】特開２０００−１６６８４７号公報
【発明の開示】
【発明が解決しようとする課題】
【０００４】
しかしながら、前記従来の構成では排気口に流入する高温高湿の主流が持つ流体力で新たな外気を副流として排気に混合させるもので、高温多湿の洗浄槽内排気の温度を低減できるものの排出される風の熱風感を回避できるまで十分冷却するには風量が足りないという課題を有していた。
【０００５】
本発明は、前記従来の課題を解決するもので、乾燥運転時において洗浄槽から流出する洗浄槽内排気に十分な量の外気を混合し、排気の温度低減と排気内水分量の削減を促進して排気の快適性を高めた食器洗い乾燥機を提供することを目的とする。
【課題を解決するための手段】
【０００６】
前記従来の課題を解決するために、本発明の食器洗い乾燥機は、被洗浄物を収納する洗浄槽と、被洗浄物を洗う洗浄手段と、洗浄水を加熱する加熱手段と、前記洗浄槽内部の湿気を排出する排気口と、外気を送風する送風機と、前記排気口の上流側に配置した外気と洗浄槽内気とを混合する混合部と、外気を前記混合部に導入する外気通路と、前記洗浄槽を経て前記混合部に連通する洗浄槽内気通路と、外気と洗浄槽内気との混合割合を変化させる風量分配手段とを備え、前記風量分配手段は、風圧で開度が変化するダンパーを前記洗浄槽内気通路と前記外気通路に設け、前記ダンパーは、前記洗浄槽内気通路に設けた洗浄槽ダンパーと前記外気通路に設けた外気ダンパーとを連結し、前記洗浄槽ダンパーの開度が増大すると前記外気ダンパーの開度が低減するように構成するとともに、前記洗浄槽ダンパーの受圧面積を前記外気ダンパーの受圧面積よりも大きくすることにより前記洗浄槽内気通路を閉止する方向への戻り力を作用させるように構成し、前記送風機からの風量を増加させるにともない、前記洗浄槽ダンパーの開度を増大させ、かつ前記外気ダンパーの開度を低減させることで、外気と洗浄槽内気との風量割合を変化させるようにしたようにしたものである。
【０００７】
これによって、乾燥運転時は高温高湿の洗浄槽内の空気（洗浄槽内気）に対し充分量の外気を冷却用として混合部で混合がなされ、ダンパーの開度変化動作により送風量の変化とともに洗浄槽内気通路と外気通路への安定した風量分配が行われて、排気の冷却と水分削減による排気の熱風感の防止と乾燥性能の向上との両立と排気温度の安定性を向上でき
る。
【発明の効果】
【０００８】
本発明の食器洗い乾燥機は、乾燥運転時に排出される温湿度を低減した排気による熱風感の確実な防止と乾燥性能の向上の両立ができる。
【発明を実施するための最良の形態】
【０００９】
第１の発明は、被洗浄物を収納する洗浄槽と、被洗浄物を洗う洗浄手段と、洗浄水を加熱する加熱手段と、前記洗浄槽内部の湿気を排出する排気口と、外気を送風する送風機と、前記排気口の上流側に配置した外気と洗浄槽内気とを混合する混合部と、外気を前記混合部に導入する外気通路と、前記洗浄槽を経て前記混合部に連通する洗浄槽内気通路と、外気と洗浄槽内気との混合割合を変化させる風量分配手段とを備え、前記風量分配手段は、風圧で開度が変化するダンパーを前記洗浄槽内気通路と前記外気通路に設け、前記ダンパーは、前記洗浄槽内気通路に設けた洗浄槽ダンパーと前記外気通路に設けた外気ダンパーとを連結し、前記洗浄槽ダンパーの開度が増大すると前記外気ダンパーの開度が低減するように構成するとともに、前記洗浄槽ダンパーの受圧面積を前記外気ダンパーの受圧面積よりも大きくすることにより前記洗浄槽内気通路を閉止する方向への戻り力を作用させるように構成し、前記送風機からの風量を増加させるにともない、前記洗浄槽ダンパーの開度を増大させ、かつ前記外気ダンパーの開度を低減させることで、外気と洗浄槽内気との風量割合を変化させるようにしたことにより、乾燥運転時は高温高湿の洗浄槽内の空気（洗浄槽内気）に対し充分量の外気を冷却用として混合部で混合がなされ、ダンパーの開度変化動作により送風量の変化とともに洗浄槽内気通路と外気通路への安定した風量分配が行われて、排気の冷却と水分削減による排気の熱風感の防止と乾燥性能の向上との両立と排気温度の安定性を向上できる。
【００１０】
また、送風量の変化とともに混合部での風量割合を大きく変化させることを可能とし、送風機の送風能力を増大することなく乾燥風量を増大せしめて乾燥性を向上でき、送風機の小型化、低消費電力化および低コスト化ができる。
【００１１】
また、洗浄槽ダンパーの受圧面積を外気ダンパーの受圧面積よりも大きくすることにより、ダンパーを開閉するために加わる力の差を明確にして、洗浄槽ダンパーの受圧方向にダンパーを動作させることができ、低い風圧でも洗浄槽ダンパーの確実な開度設定ができ、送風機の負荷を低減して送風機の小型化ができる。
【００１２】
以下、本発明の実施の形態について、図面を参照しながら説明する。なお、この実施の形態によって本発明が限定されるものではない。
【００１３】
（実施の形態１）
図１は本発明の第１の実施の形態の食器洗い乾燥機の構成を示す断面図である。
【００１４】
図１において、食器などの被洗浄物を収納する洗浄槽１の下方には、洗浄水を被洗浄物に噴出して循環させる洗浄ノズル２と洗浄水を加圧する洗浄ポンプ３を有する洗浄手段４と、洗浄水を加熱し昇温させる加熱手段５を配置している。また、洗浄槽１内の湿気を排出して洗浄槽１内を乾燥させるため外気を送風する送風機６、洗浄槽１内の湿気を排出する排気口７を乾燥手段９は有し、洗浄槽１にはその下方に外気を流入させる流入口１０を設け、その上方には洗浄槽１内の空気（洗浄槽内気）を排出させる流出口１１を設けている。
【００１５】
送風機６の下流側には風量を分配する風量分配手段１２を接続し、この風量分配手段１２の下流側には、外気を混合部１３に導入する外気通路１４と、洗浄槽１の流入口１０、
洗浄槽１、流出口１１を経て混合部１３に連通する洗浄槽内気通路１５を配置している。また混合部１３は、その出口側を排気口７に連通させ、混合部１３の入口側を外気通路１４および洗浄槽内気通路１５である流出口１１に連通させている。
【００１６】
このように風量分配手段１２の上流側に送風機６を配置し、排気口７の上流側には外気と洗浄槽内気を混合する混合部１３を配置している。
【００１７】
風量分配手段１２は外気通路１４と洗浄槽内気通路１５への流動抵抗を変化させて風量を分配するもので、混合部１３における外気と洗浄槽内気との混合時の流量割合を変化させる。
【００１８】
制御手段１６は乾燥手段９を制御するもので、送風機６の風量を制御する風量制御部１７と、混合部１３の下流側に設けた温度検知部１８の検知温度を基に制御量を設定する温度制御部１９を有している。
【００１９】
また、風量分配手段１２は送風機６の風量を外気通路１４と洗浄槽内気通路１５へ分配するために、図２に示すように、送風機６の運転により発生する風圧で開度が変化するダンパー２０を外気通路１４と洗浄槽内気通路１５に臨ませて設けたもので、洗浄槽内気通路１５側に設けた洗浄槽ダンパー２０ａと外気通路１４側に設けた外気ダンパー２０ｂを互いに連結して連結体２０ｃとして一体化している。
【００２０】
ダンパー２０は、洗浄槽ダンパー２０ａの開度が増大すると外気ダンパー２０ｂの開度が低減するように連結した連結姿勢とし、この一体化させたダンパー２０の洗浄槽ダンパー２０ａには重り２０ｄを付加し、支持軸２１で回動自在にすることにより、ダンパー２０は送風機６の風圧が所定値より低い場合あるいは送風機６の運転停止時は、図２のように重力の作用で洗浄槽内気通路１５側をほぼ閉止あるいは閉塞するとともに、外気通路１４側を全開状態としている。
【００２１】
また、洗浄槽１は、洗浄水を供給する給水弁２２を備えた給水管２３と、洗浄水を排水する排水弁２４を備えた排水管２５が接続されるとともに、筐体２６から引き出すことができるスライド体２７に収納されている。このスライド体２７には外部と連通する通気口２８を設けている。
【００２２】
以上のように構成された食器洗い乾燥機について、以下その動作、作用を説明する。
【００２３】
まず、筐体２６からスライド体２７を引き出して被洗浄物である食器を洗浄槽１内に収納し、スライド体２７を元に戻して洗浄を開始する。洗浄運転開始とともに給水弁２２を開成して給水管２３から洗浄槽１に給水し、所定量の給水が行われると給水弁２２を閉成して給水停止し、加熱手段５および洗浄手段４である洗浄ポンプ３の運転により洗浄ノズル２から温水を噴出させて被洗浄物である食器に噴きつけ循環させる。洗浄水が噴出する反力で洗浄ノズル２部が回転することで被洗浄物に洗浄水を行き渡らせ、洗浄性を高めている。ここでは加熱手段５を運転して温水で洗浄する場合を示したが、被洗浄物の汚れが弱い場合は加熱手段５を運転させずに給水温度で洗浄すれば良く、また被洗浄物の汚れが強い場合は洗剤を入れて洗浄する。洗浄運転が終了すると排水弁２４を開成して洗浄水を排水管２５から筐体２６の外部に排水し、排水し終わると排水弁２４を閉成する。
【００２４】
次に行うすすぎ運転では洗剤を投入せずに、洗浄運転と同様に給水し、加熱手段５および洗浄ポンプ３の運転により洗浄ノズル２から温水を噴出させて被洗浄物である食器に噴きつけ循環させる。このすすぎ運転の後に行う被洗浄物を乾かす乾燥運転のため、すすぎ運転では被洗浄物を暖めておくのが好ましく、７０℃〜８０℃程度の高温水ですすぎ運転
を実施すれば除菌処理ができる。すすぎ運転終了後は洗浄運転終了時と同様に洗浄槽１内のすすぎ水を排水する。
【００２５】
次に行う乾燥運転では、すすぎ運転により高温高湿になっている洗浄槽１内の空気を排出して被洗浄物を乾かすため、送風機６を運転するとともに風量分配手段１２で外気通路１４と洗浄槽内気通路１５に分流させ、外気を混合部１３および洗浄槽１に送る。特に、高温水ですすぎ運転を行った場合は排気口７から洗浄槽１内の高温高湿の空気を直接排出しないように、乾燥運転開始時には風量制御部１７により送風機６の送風量を少なくして低い風圧を風量分配手段１２に加えて外気通路１４側を主体に通風し、外気と洗浄槽内気との風量割合（外気風量：洗浄槽内気風量）を１：０程度までに近づけて送風機６の送風を冷却主体にし、高温のすすぎ運転中に昇温した排気経路を冷却して排気口７から熱風が出ないようにする。
【００２６】
次に、送風機６の送風量を少し増加させて風量分配手段１２のダンパー２０に付加する風圧を高め、図３に示すように洗浄槽ダンパー２０ａを僅かに開成させ、洗浄槽内気通路１５側には少しの風（図３の黒矢印で示す）と外気通路１４側に大部分の風（図３の白抜き矢印で示す）に分配して流動させ、混合部１３では洗浄槽内気通路１５側に入った風により洗浄槽１から押し出された高温高湿の風に対して大量の外気通路１４側に入った風を混合して冷却し、排気口７から低温度化した風を排出させる。
【００２７】
乾燥運転の進行に伴って、洗浄槽１内への外気の流入により洗浄槽内気の湿度が低下し、洗浄槽内気のエンタルピが下がるため排気口７から流出する排気の温度を所定値以下に冷却するに要する外気風量は少なくて済むようになる。従って、乾燥状態の進行に伴い混合部１３への外気風量は少なくすることができ、その分を洗浄槽内気通路１５側に振向けて洗浄槽１内への風量を増加させることで被洗浄物の乾燥性能を高めることができる。そこで、送風機６の運転に伴い洗浄槽内気通路１５側に入った風により洗浄槽１内の湿度あるいは温度の低下とともに送風機６の送風量をさらに増加させ、洗浄槽ダンパー２０ａの開度を大きくし、洗浄槽ダンパー２０ａと連結して一体化した外気ダンパー２０ｂにより外気通路１４側の開度を小さくすることで、外気と洗浄槽内気との風量割合を変化させ、洗浄槽内気通路１５側への風量割合を増加させて乾燥促進がなされる。
【００２８】
このため、混合部１３での洗浄槽内気への外気混合および風量分配変化による冷却促進で排気温度の熱風感の確実な防止と、洗浄槽内空気の冷却時に発生する結露により洗浄槽内気中にあった水分の削減による設置した室内などの空間の湿度アップを少なくして快適性を向上でき、さらに風量分配を可変とすることで高温排気の防止と乾燥性能の確保の両立ができる。
【００２９】
また、ダンパー２０は、洗浄槽ダンパー２０ａの開度が増大すると外気ダンパー２０ｂの開度が低減するように連結した連結姿勢としているので、送風機６の送風量の変化とともに混合部１３での風量割合を大きく変化させることでき、送風機６の送風能力を増大することなく小さな能力の送風機６で乾燥風量を増大せしめて乾燥性を向上でき、送風機の小型化、低消費電力化および低コスト化ができる。
【００３０】
また、ダンパー２０は、送風機６の送風停止時に重力により初期位置に復帰するようにしたことにより、構成の簡素化と低コスト化ができる。
【００３１】
さらに、バネなどの付勢体（図示せず）によりダンパー２０に戻り力を加えて、送風機６の送風停止時に付勢体（図示せず）により初期位置に復帰する構成とすることにより、風圧と戻り力とのバランスを明確に設定でき、ダンパー２０の開度位置の確実な設定がなされて動作の信頼性を確保でき、風量分配手段１２の設置姿勢の自由度を高くできる。
【００３２】
ここまでは、乾燥運転時に加熱手段５を運転せずにすすぎ運転時の被洗浄物が持つ余熱を利用して乾燥させる場合を説明したが、乾燥運転時に加熱手段５を運転することで、洗浄槽１内に流入口１０から流入した外気を加熱昇温させることにより乾燥を促進できるのは言うまでも無く、加熱手段５近傍の風速を高く保つほど加熱手段５の出力を大きくして乾燥性能を高めることが可能となる。
【００３３】
図４はダンパー２０の他の実施例を示したもので、ダンパー２０は、送風機６の送風停止時に洗浄槽ダンパー２０ａと外気ダンパー２０ｂが閉止するように連結した連結姿勢としている。
【００３４】
また、ダンパー２０は、洗浄槽ダンパー２０ａと外気ダンパー２０ｂの上流側の流れが衝突する面である受圧部２９の形状を異ならせたもので、洗浄槽ダンパー２０ａの受圧部２９には上流側に向かって凹面部３０を設けて外気ダンパー２０ｂよりも流れの圧力を受圧し易くし、外気ダンパー２０ｂの受圧部２９には上流側に向かって凸面部３１を設けて洗浄槽ダンパー２０ａよりも受圧し難くしている。
【００３５】
次に、このように構成した風量分配手段１２のダンパー２０の動作、作用を説明する。
【００３６】
送風機６の運転開始による送風がダンパー２０に当たると、受圧部２９が上流側に向かって凹面部３０となっている洗浄槽ダンパー２０ａは流体の流動力を受け易くなり、また受圧部２９が上流側に向かって凸面部３１となっている外気ダンパー２０ｂは流体の流動力を受け難くなって、ダンパー２０は支持軸２１を回転の中心として反時計方向に回動し、図５に示すように流体力と洗浄槽ダンパー２０ａの重り２０ｄによる戻り力とのバランス位置で開度が設定される。
【００３７】
外気通路１４と洗浄槽内気通路１５への風量分配は外気通路１４側に断面積を縮小した絞り部（図示せず）を設けて通路抵抗を大きく設定することで、送風機６からの送風量が少なくダンパー２０の開度が小さい時は外気通路１４側の通路抵抗の影響が無く、ダンパー２０部の通過抵抗によって風量分配が決まるもので、受圧部２９が上流側に向かって凸面部３１となっている外気ダンパー２０ｂ側の通過抵抗が少なくなり、図５で外気通路１４側の白抜き矢印および洗浄槽内気通路１５側の黒矢印で示すように、外気通路１４側の風量が洗浄槽内気通路１５側の風量より多くなる状態となって排気口７から流出する排気の温度低減を主体とした安定した風量分配が行われる。
【００３８】
この状態からさらに送風機６の風量を増大させるにつれてダンパー２０の開度が増大して、外気通路１４側に流れる風量は断面積を縮小した絞り部（図示せず）の通路抵抗の影響を受けて風量増加が頭打ちとなり、洗浄槽内気通路１５側の風量増加が外気通路１４側を上回って、外気通路１４側と洗浄槽内気通路１５側との風量割合は洗浄槽内気通路１５側が多くなる状態に移行して乾燥主体の安定した風量分配が行われる。
【００３９】
ここで、ダンパー２０の連結姿勢は送風機６の運転停止時には洗浄槽ダンパー２０ａと外気ダンパー２０ｂが洗浄槽内気通路１５および外気通路１４の各通路を閉止するので、機器停止時において洗浄槽１内部の湿気が送風路を伝って送風機６側に逆流し漏出して機器内部での結露による腐食発生を防ぎ、機器の信頼性を向上できる。
【００４０】
また、洗浄槽ダンパー２０ａと外気ダンパー２０ｂの受圧部２９の形状を異ならせているので、ダンパー２０の洗浄槽ダンパー２０ａと外気ダンパー２０ｂの受圧面積が接近している場合でも、ダンパー２０を開閉するために加わる力の差を明確にして支持軸２１に対する回動力を安定化して確実な開度動作がなされ、排気温度の冷却動作および乾燥動作
の信頼性を向上できる。
【００４１】
また、洗浄槽ダンパー２０ａの受圧部２９に上流側に向かって凹面部３０を設けて外気ダンパー２０ｂよりも受圧しやすくしたことにより、洗浄槽ダンパー２０ａの受圧面積を小さくしても洗浄槽ダンパー２０ａの開度設定力が確保でき、ダンパー２０全体の確実な開度動作が可能となるので、受圧面積の縮小によるダンパー２０の小型化を促進できる。
【００４２】
また、外気ダンパー２０ｂの受圧部２９に上流側に向かって凸面部３１を設けて洗浄槽ダンパー２０ａよりも受圧し難くしたことにより、洗浄槽ダンパー２０ａの開度設定力が確保されてダンパー２０全体の確実な開度動作が可能となるので、外気ダンパー２０ｂでの通路抵抗の低減がなされて送風機６の小型化ができる。
【００４３】
さらに、洗浄槽ダンパー２０ａの受圧部２９に上流側に向かって凹面部３０を設けるとともに、外気ダンパー２０ｂの受圧部２９に上流側に向かって凸面部３１を設けることにより、ダンパー２０の風量分配動作が安定化して排気温度の安定性を向上できるとともに、ダンパー２０部の小型化と通風路の流動抵抗低減により送風負荷を低減して送風機６の小型化・低コスト化ができる。
【００４４】
ここまでに示した洗浄槽ダンパー２０ａと外気ダンパー２０ｂの受圧部２９の受圧面積をほぼ同じとした場合では、外気通路１４側と洗浄槽内気通路１５側はどちらも断面積の大きな通風路の設定が可能となり、通風路での流動抵抗を低減して送風機の小型化ができる。
【００４５】
また、洗浄槽ダンパー２０ａの受圧面積を外気ダンパー２０ｂの受圧面積より大きくすることで、ダンパー２０を開閉するために加わる洗浄槽ダンパー２０ａと外気ダンパー２０ｂとの力の差を明確にして、洗浄槽ダンパー２０ａの受圧方向にダンパー２０を動作させることができ、低い風圧でも洗浄槽ダンパー２０ａの確実な開度設定ができ、送風機６の負荷を低減して送風機６の小型化ができる。
【００４６】
なお、洗浄槽ダンパー２０ａと外気ダンパー２０ｂを個々に作製して連結仕上げしても良いし、樹脂などで最初から一体で成形しても良いのは言うまでもない。
【００４７】
また、洗浄槽ダンパー２０ａと外気ダンパー２０ｂは同一の支持軸２１を共用する場合を示したが、洗浄槽ダンパー２０ａと外気ダンパー２０ｂのそれぞれに個別の支持軸（図示せず）を設け、洗浄槽ダンパー２０ａと外気ダンパー２０ｂを連結する連結部（図示せず）を設けて一体化しても良いのは言うまでもない。
【００４８】
さらに、乾燥運転時の送風機６の風量制御は制御温度検知部１８の検知温度によらずに、乾燥運転経過時間により送風機６の風量を変化させることで風量分配は可能であり、温度検知部１８を省いて低コスト化できるのは言うまでもない。
【００４９】
以上のように、本実施の形態においては、風量分配手段は、風圧で開度が変化するダンパーを前記洗浄槽内気通路と前記外気通路に設け、前記ダンパーは、前記洗浄槽内気通路に設けた洗浄槽ダンパーと前記外気通路に設けた外気ダンパーとを連結し、前記洗浄槽ダンパーの開度が増大すると前記外気ダンパーの開度が低減するように構成するとともに、前記洗浄槽ダンパーの受圧面積を前記外気ダンパーの受圧面積よりも大きくすることにより前記洗浄槽内気通路を閉止する方向への戻り力を作用させるように構成し、前記送風機からの風量を増加させるにともない、前記洗浄槽ダンパーの開度を増大させ、かつ前記外気ダンパーの開度を低減させることで、外気と洗浄槽内気との風量割合を変化させるようにしたことにより、乾燥運転時は高温高湿の洗浄槽内の空気（洗浄槽内気）に対し充分量
の外気を冷却用として混合部で混合がなされ、ダンパーの開度変化動作により送風量の変化とともに洗浄槽内気通路と外気通路への安定した風量分配が行われて、排気の冷却と水分削減による排気の熱風感の防止と乾燥性能の向上との両立と排気温度の安定性を向上できる。
【００５０】
また、送風量の変化とともに混合部での風量割合を大きく変化させることを可能とし、送風機の送風能力を増大することなく乾燥風量を増大せしめて乾燥性を向上でき、送風機の小型化、低消費電力化および低コスト化ができる。
【００５１】
また、洗浄槽ダンパーの受圧面積を外気ダンパーの受圧面積よりも大きくすることにより、ダンパーを開閉するために加わる力の差を明確にして、洗浄槽ダンパーの受圧方向にダンパーを動作させることができ、低い風圧でも洗浄槽ダンパーの確実な開度設定ができ、送風機の負荷を低減して送風機の小型化ができる。
【００５２】
（実施の形態２）
図６は本発明の第２の実施の形態のダンパーの構成図である。
【００５３】
図６において、図１〜図５の実施の形態と同一部材、同一機能は同一符号を付し詳細な説明は省略し、異なるところを中心に説明する。
【００５４】
ダンパー２０は、洗浄槽ダンパー２０ａと外気ダンパー２０ｂの連結姿勢を変動可能とする姿勢設定手段３２を設けたもので、洗浄槽ダンパー２０ａと外気ダンパー２０ｂの連結角度αを変化させて互いの相対位置を変動することができるようにしている。
【００５５】
姿勢設定手段３２は、洗浄槽１の温度に応じて連結姿勢を変化させるため温度に応じて形状を変化させる形状記憶体３３を利用するもので、ダンパー２０の支持軸２１を熱伝導性に優れた銅やステンレスなどの材料として洗浄槽１を形成する壁面（図示せず）に取り付け、支持軸２１の円筒面を洗浄槽の温度を伝える伝熱部３４とし、一端を洗浄槽ダンパー２０ａに接続し他端を外気ダンパー２０ｂに接続した形状記憶体３３の中間部分を伝熱部３４の周りに伝熱関係として配置している。
【００５６】
ここでは、洗浄槽ダンパー２０ａと外気ダンパー２０ｂは支持軸２１を介して蝶番のように連結し、姿勢設定手段３２としての形状記憶体３３で連結角度を決めて相対位置を確定している。
【００５７】
また、形状記憶体３３と洗浄槽ダンパー２０ａおよび外気ダンパー２０ｂとの接続は接着、溶着、係合あるいはカシメなど種々の方法が可能である。
【００５８】
次に、このように構成した風量分配手段１２のダンパー２０の動作、作用を図７で説明する。
【００５９】
乾燥運転では洗浄槽１内の高温高湿の空気を排気口７から排出しないように、乾燥運転開始時は送風機６の送風量を少なくして低い風圧を風量分配手段１２に加え、外気通路１４側を主体に通風することで外気と洗浄槽内気との風量割合（外気風量：洗浄槽内気風量）を外気側が多くなるようにする。この時、すすぎ時の温度が高く設定する（例えば８０℃）ほど洗浄槽１内は高温高湿になっているので、乾燥運転開始時は外気の風量割合をより多くする必要があり、逆にすすぎ時の温度を低下させた（例えば６０℃）場合では乾燥運転開始時は外気の風量割合を低減させることで洗浄槽１への乾燥風量を増加させて乾燥性を高めることで送風機６の風量を有効活用できる。
【００６０】
そのため、ダンパー２０の支持軸２１を介して洗浄槽１の温度を形状記憶体３３に伝えて、洗浄槽ダンパー２０ａと外気ダンパー２０ｂの連結角度αを変化させて対応する。
【００６１】
即ち、洗浄槽１の温度が高い場合は連結角度αを小さくすることで外気ダンパー２０ｂによる外気通路１４側の開成角度θを大きくし、外気通路１４側に流れる風量割合を多くする。また、洗浄槽１の温度が低い場合は連結角度αを大きくすることで外気ダンパー２０ｂによる外気通路１４側の開成角度θを小さくし、外気通路１４側に流れる風量割合を少なくする。
【００６２】
図７では、送風機６の風圧により洗浄槽ダンパー２０ａが若干開成した状態であり、洗浄槽ダンパー２０ａの開度が同じでも洗浄槽１の温度が高い場合は連結角度αが小さいので外気ダンパー２０ｂの開成角度θは大きくして排気温度の低減作用を高め、洗浄槽１の温度が低下すると連結角度αが大きくなって外気ダンパー２０ｂの開成角度θを小さくすることで排気温度の低減作用を緩めて洗浄槽内気通路１５側への風量割合を増やして乾燥性を高めることで、排気温度の温度低減の制御幅の拡大している。
【００６３】
また、ダンパー２０の連結角度αの変動は乾燥運転開始時の初期状態の設定だけでなく、乾燥運転の進行に伴う洗浄槽１の温度低下にも対応して変動させて排気口７から熱風が出ないようにして可能な限り洗浄槽内気通路１５側に風量を分配して乾燥性を高める運転を実施がなされることで、排気温度の制御幅拡大と乾燥性向上を両立している。
【００６４】
このように、ダンパー２０は、洗浄槽ダンパー２０ａと外気ダンパー２０ｂの連結体２０ｃの連結姿勢を変動可能とする姿勢設定手段３２を設けているので、洗浄槽１の温度が高い場合から低い場合に対応して低温化できるので、排気温度の制御幅を拡大でき、排気温度の低温度化を主体とした設定や乾燥性を高めることを主体とした設定などを選択可能となり、使い勝手を良くして利便性を向上できる。
【００６５】
また、姿勢設定手段３２は、洗浄槽１の温度に応じて連結姿勢を変化させているので、洗浄槽１内の温度によって風量分配割合を設定することにより排気温度を確実に低減でき、排気の低温度化を推進できる。
【００６６】
また、姿勢設定手段３２は、温度に応じて形状を変化させる形状記憶体３３で形成することにより、構成の簡素化と低コスト化ができる。
【００６７】
さらに、姿勢設定手段３２は、ダンパー２０の支持軸２１に設けた洗浄槽１の温度を伝える伝熱部３４と洗浄槽ダンパー２０ａおよび外気ダンパー２０ｂに接続した形状記憶体３３を伝熱関係に配置しているので、形状記憶体３３によりダンパー２０の姿勢を洗浄槽１の温度に応じて確実に設定されて、排気温度を低減させる動作の信頼性を向上できる。
【００６８】
なお、ここではダンパー２０の連結角度αを姿勢設定手段３２として形状記憶体３３で変化させる場合を示したが、形状記憶体３３を使わずに洗浄槽ダンパー２０ａと外気ダンパー２０ｂを支持軸２１に圧入気味に取り付けて手動で連結角度αを動かして設定するようにすることも可能であり、ラチェット状の多段ステップ（図示せず）を介して洗浄槽ダンパー２０ａと外気ダンパー２０ｂを組付けて連結角度αを手動設定することも可能である。また、洗浄槽ダンパー２０ａと外気ダンパー２０ｂとの連結角度αを動かすモータなどのアクチュエータ（図示せず）を設け、洗浄槽１の温度に応じて連結角度αを制御できるのは言うまでもない。
【００６９】
また、図７のように送風機６から風を上方に向かう流れとし、外気通路１４と洗浄槽内気通路１５をほぼ垂直方向に分岐する垂直分岐部３５に配置して、ダンパー２０の支持軸
２１を垂直分岐部３５の略垂直方向に設けることでダンパー２０の重力による復帰動作を安定でき、送風量を低減した時のダンパーの復帰動作の確実性を高めて、動作信頼性を向上できる。
【００７０】
図８に、風量分配手段１２の他の実施例を示す。図８において、外気通路１４と洗浄槽内気通路１５をほぼ水平方向に分岐する水平分岐部３６に配置するとともに洗浄槽内気通路１５を外気通路１４の下方に配置し、ダンパー２０の支持軸２１を水平分岐部３６の略水平方向に設けたもので、送風機６の風量を増大させて洗浄槽ダンパー２０ａによる洗浄槽内気通路１５側の開度が大きくなり、洗浄槽内気通路１５側の風量（図中白抜き矢印で示す）が外気通路１４側の風量（図中黒矢印で示す）よりも多くし乾燥主体で動作している状態を示している。この状態から送風機６を停止して乾燥運転を終了すると、ダンパー２０は重り２０ｄが無くても洗浄槽ダンパー２０ａと外気ダンパー２０ｂの自重により図中時計方向の回動力が働き、洗浄槽内気通路１５側の洗浄槽ダンパー２０ａが閉止する状態に復帰する。
【００７１】
このように、ダンパー２０をほぼ水平方向に洗浄槽内気通路１５と外気通路１４に分岐する水平分岐部３６に配置しても、ダンパー２０の支持軸２１を略水平方向としているので、ダンパー２０を自重により復帰する簡単な構成としても、送風量を低減した時のダンパー２０の復帰動作の確実性を高めて、動作信頼性を向上できる。
【００７２】
また、洗浄槽内気通路１５を外気通路１４の下方に配置することで、自重により復帰動作するダンパー２０とできるので構成の簡素化による低コスト化ができる。
【００７３】
なお、図８では外気通路１４と洗浄槽内気通路１５を上下方向に配置する例を示したが、図８の紙面の前後方向に配置することが可能なのは言うまでもない。
【００７４】
以上のように、本実施の形態においては、ダンパーは、洗浄槽ダンパーと外気ダンパーの連結姿勢を変動可能とする姿勢設定手段を設けたことにより、排気温度の制御幅を拡大でき、排気温度の低温度化を主体とした設定や乾燥性を高めることを主体とした設定などを選択可能となり、使い勝手を良くして利便性を向上できる。
【００７５】
また、本実施の形態の姿勢設定手段は、洗浄槽の温度に応じて連結姿勢を変化させたことにより、洗浄槽内の温度によって風量分配割合を設定することにより排気温度を確実に低減でき、排気の低温度化を推進できる。
【００７６】
また、本実施の形態の姿勢設定手段は、温度に応じて形状を変化させる形状記憶体を備えたことにより、構成の簡素化と低コスト化ができる。
【００７７】
また、本実施の形態の姿勢設定手段は、ダンパーの支持軸に設けた洗浄槽の温度を伝える伝熱部と洗浄槽ダンパーおよび外気ダンパーに接続した形状記憶体を伝熱関係に配置したことにより、形状記憶体によりダンパーの姿勢を洗浄槽の温度に応じた確実な設定がなされて、排気温度を低減させる動作の信頼性を向上できる。
【００７８】
また、本実施の形態のダンパーは、ほぼ垂直方向に洗浄槽内気通路と外気通路に分岐する垂直分岐部に配置し、ダンパーの支持軸を前記垂直分岐部の略垂直方向に設けたことにより、送風量を低減した時のダンパーの復帰動作の確実性を高めて、動作信頼性を向上できる。
【００７９】
また、本実施の形態のダンパーは、ほぼ水平方向に洗浄槽内気通路と外気通路に分岐する水平分岐部に配置し、ダンパーの支持軸を前記水平分岐部の略水平方向に設けたことに
より、送風量を低減した時のダンパーの復帰動作の確実性を高めて、動作信頼性を向上できる。
【００８０】
また、本実施の形態の水平分岐部は、洗浄槽内気通路を外気通路の下方に配置したことにより、ダンパーを自重により復帰動作する構成とできるので構成の簡素化による低コスト化ができる。
【産業上の利用可能性】
【００８１】
以上のように、本発明にかかる食器洗い乾燥機は、乾燥時の排気温度の熱風感の確実な防止と発生する高温高湿の空気条件に応じた冷却ができるので、蒸気を発生する炊飯器や電気湯沸し器などの家庭用機器などに適用することができる。
【図面の簡単な説明】
【００８２】
【図１】本発明の実施の形態１における食器洗い乾燥機の構成図
【図２】図１における風量分配手段の断面図
【図３】図２における風量分配手段の他の状態を示す断面図
【図４】図２における風量分配手段でのダンパーの他の構成を示す断面図
【図５】図４における風量分配手段の他の状態を示す断面図
【図６】本発明の実施の形態２におけるダンパーの外観斜視図
【図７】本発明の実施の形態２における風量分配手段の断面図
【図８】本発明の実施の形態２における風量分配手段の他構成の断面図
【図９】従来の食器洗い乾燥機の構成図
【符号の説明】
【００８３】
１  洗浄槽
４  洗浄手段
５  加熱手段
６  送風機
７  排気口
９  乾燥手段
１２  風量分配手段
１３  混合部
１４  外気通路
１５  洗浄槽内気通路
２０  ダンパー
２０ａ  洗浄槽ダンパー
２０ｂ  外気ダンパー
２１  支持軸
２９  受圧部
３０  凹面部
３１  凸面部
３２  姿勢設定手段
３３  形状記憶体
３４  伝熱部
３５  垂直分岐部
３６  水平分岐部
【図１】
0004530085.tif 000002
【図２】
0004530085.tif 000003
【図３】
0004530085.tif 000004
【図４】
0004530085.tif 000005
【図５】
0004530085.tif 000006
【図６】
0004530085.tif 000007
【図７】
0004530085.tif 000008
【図８】
0004530085.tif 000009
【図９】
0004530085.tif 000010